(57)【要約】【課題】最小限の種類のコネクタ形状を有する光ケーブルを用いてパッケージ間、光部品間の接続を行うことにより、少なくとも光送受信モジュール破壊につながる誤接続を防止する伝送装置破壊防止構造を提供する。【解決手段】光送受信モジュール２の出力部と、光送受信モジュール２の出力部と接続されるパッケージ１あるいは光部品側のコネクタを第一の形状とは別形状の第二の形状を有する同一のコネクタとした。また、伝送路からの出力部と光信号多重分離回路パッケージ３の入力部とを接続するコネクタ、及び、光信号多重分離回路パッケージ３出力部と伝送路への入力部を接続するコネクタを、第一の形状とは別形状の第二の形状を有する同一のコネクタとした。【選択図】図１
2008306233.tif 000002
【特許請求の範囲】
【請求項１】
１つ以上のトランスポンダパッケージと、
１つ以上の光送受信モジュールと、
１つ以上の光信号多重分離回路パッケージとを有し、
前記トランスポンダパッケージに実装された前記光送受信モジュールの入力部と前記光信号多重分離回路パッケージの前記光送受信モジュールヘの出力部とが第１の光ケーブルによって接続され、
前記トランスポンダパッケージに実装された前記光送受信モジュールの出力部と前記光信号多重分離回路パッケージの前記光送受信モジュールからの入力部とが第２の光ケーブルによって接続され、
前記光信号多重分離回路パッケージの伝送路からの入力部が第３の光ケーブルによって接続され、
前記光信号多重分離回路パッケージの伝送路への出力部が第４の光ケーブルによって接続される伝送装置において、
前記第１の光ケーブルの有する、前記光送受信モジュールの入力部に接続されるコネクタと、該光送受信モジュールの入力部と接続される前記光信号多重分離回路パッケージの前記光送受信モジュールヘの出力部のコネクタとが、第一の形状を有する同一のコネクタであり、
前記第２の光ケーブルの有する、前記光送受信モジュールの出力部に接続されるコネクタと、該光送受信モジュールの出力部と接続される前記光信号多重分離回路パッケージの前記光送受信モジュールからの入力部のコネクタとが、第一の形状とは別形状の第二の形状を有する同一のコネクタであり、
前記第３の光ケーブルの有する、前記光信号多重分離回路パッケージの伝送路からの入力部に接続されるコネクタと、伝送路へと接続されるコネクタとが、第一の形状とは別形状の第二の形状を有する同一のコネクタであり、
前記第４の光ケーブルの有する、前記光信号多重分離回路パッケージの伝送路への出力部に接続されるコネクタと、伝送路へと接続されるコネクタとが、第一の形状とは別形状の第二の形状を有する同一のコネクタである
ことを特徴とする伝送装置破壊防止構造。
【請求項２】
１つ以上のトランスポンダパッケージと、
１つ以上の光送受信モジュールと、
１つ以上の光信号多重分離回路パッケージとを有し、
前記トランスポンダパッケージに実装された前記光送受信モジュールの入力部と前記光信号多重分離回路パッケージの前記光送受信モジュールヘの出力部とが第１の光ケーブルによって接続され、
前記トランスポンダパッケージに実装された前記光送受信モジュールの出力部と前記光信号多重分離回路パッケージの前記光送受信モジュールからの入力部とが第２の光ケーブルによって接続され、
前記光信号多重分離回路パッケージの伝送路からの入力部が第３の光ケーブルによって接続され、
前記光信号多重分離回路パッケージの伝送路への出力部が第４の光ケーブルによって接続される伝送装置において、
前記第１の光ケーブルの有する、前記光送受信モジュールの入力部に接続されるコネクタが、第一の形状を有するコネクタであり、該光送受信モジュールの入力部と接続される前記光信号多重分離回路パッケージの前記光送受信モジュールヘの出力側のコネクタが、第一の形状とは別形状の第二の形状を有するコネクタであり、
前記第２の光ケーブルの有する、前記光送受信モジュールの出力部に接続されるコネクタが、第一の形状を有するコネクタであり、該光送受信モジュールの出力部と接続される前記光信号多重分離回路パッケージの前記光送受信モジュールからの入力側のコネクタが、第一の形状とは別形状の第二の形状を有するコネクタであり、
前記第３の光ケーブルの有する、前記光信号多重分離回路パッケージの伝送路からの入力部に接続されるコネクタと、伝送路へと接続されるコネクタとが、第一の形状とは別形状の第二の形状を有する同一のコネクタであり、
前記第４の光ケーブルの有する、前記光信号多重分離回路パッケージの伝送路への出力部に接続されるコネクタと、伝送路へと接続されるコネクタとが、第一の形状とは別形状の第二の形状を有する同一のコネクタである
ことを特徴とする伝送装置破壊防止構造。
【請求項３】
１つ以上のトランスポンダパッケージと、
１つ以上の光送受信モジュールと、
１つ以上の光増幅器と、
１つ以上の光信号多重分離回路パッケージとを有し、
前記トランスポンダパッケージに実装された前記光送受信モジュールの入力部と前記光信号多重分離回路パッケージの前記光送受信モジュールへの出力部とが第１の光ケーブルによって接続され、
前記トランスポンダパッケージに実装された前記光送受信モジュールの出力部と該トランスポンダパッケージに実装された前記光増幅器の入力部とが第２の光ケーブルによって接続され、
前記トランスポンダパッケージに実装された前記光増幅器の出力部と前記光信号多重分離回路パッケージの前記光増幅器からの入力部とが第３の光ケーブルによって接続され、
前記光信号多重分離回路パッケージの伝送路からの入力部が第４の光ケーブルによって接続され、
前記光信号多重分離回路パッケージの伝送路への出力部が第５の光ケーブルによって接続される伝送装置において、
前記第１の光ケーブルの有する、前記光送受信モジュールの入力部に接続されるコネクタと、該光送受信モジュールの入力部と接続される前記光信号多重分離回路パッケージの前記光送受信モジュールヘの出力側のコネクタとが、第一の形状を有する同一のコネクタであり、
前記第２の光ケーブルの有する、前記光送受信モジュールの出力部に接続されるコネクタと、該光送受信モジュールの出力部と接続される前記光増幅器の入力側のコネクタとが、第一の形状とは別形状の第二の形状を有する同一のコネクタであり、
前記第３の光ケーブルの有する、前記光増幅器の出力部に接続されるコネクタと、前記光信号多重分離回路パッケージの前記光送受信モジュールからの入力側のコネクタとが、第一の形状とは別形状の第二の形状を有する同一のコネクタであり、
前記第３の光ケーブルの有する、前記光信号多重分離回路パッケージの伝送路からの入力部に接続されるコネクタと、伝送路へと接続されるコネクタとが、第一の形状とは別形状の第二の形状を有する同一のコネクタであり、
前記第４の光ケーブルの有する、前記光信号多重分離回路パッケージの伝送路への出力部に接続されるコネクタと、伝送路へと接続されるコネクタとが、第一の形状とは別形状の第二の形状を有する同一のコネクタである
ことを特徴とする伝送装置破壊防止構造。
【請求項４】
１つ以上のトランスポンダパッケージと、
１つ以上の光送受信モジュールと、
１つ以上の光信号と逆方向に伝搬する自然放出光を遮断する手段を具備した光増幅器と、
１つ以上の光信号多重分離回路パッケージとを有し、
前記トランスポンダパッケージに実装された前記光送受信モジュールの入力部と前記光信号多重分離回路パッケージの前記光送受信モジュールヘの出力部とが第１の光ケーブルによって接続され、
前記トランスポンダパッケージに実装された前記光送受信モジュールの出力部と該トランスポンダパッケージに実装された前記光増幅器の入力部とが第２の光ケーブルによって接続され、
前記トランスポンダパッケージに実装された前記光増幅器の出力部と前記光信号多重分離回路パッケージの前記光増幅器からの入力部とが第３の光ケーブルによって接続され、
前記光信号多重分離回路パッケージの伝送路からの入力部が第４の光ケーブルによって接続され、
前記光信号多重分離回路パッケージの伝送路への出力部が第５の光ケーブルによって接続される伝送装置において、
前記第１の光ケーブルの有する、前記光送受信モジュールの入力部に接続されるコネクタが、第一の形状を有するコネクタであり、該光送受信モジュールの入力部と接続される前記光信号多重分離回路パッケージの前記光送受信モジュールヘの出力側のコネクタが、第一の形状とは別形状の第二の形状を有するコネクタであり、
前記第２の光ケーブルの有する、前記光送受信モジュールの出力部に接続されるコネクタが、第一の形状を有するコネクタであり、該光送受信モジュールの出力部と接続される前記光増幅器の入力側のコネクタが、第一の形状とは別形状の第二の形状を有するコネクタであり、
前記第３の光ケーブルの有する、前記光増幅器の出力側のコネクタが、第一の形状を有するコネクタであり、該光増幅器と接続される前記光信号多重分離回路パッケージの前記光送受信モジュールからの入力側のコネクタが、第一の形状とは別形状の第二の形状を有するコネクタであり、
前記第４の光ケーブルの有する、前記光信号多重分離回路パッケージの伝送路からの入力部に接続されるコネクタと、伝送路へと接続されるコネクタとが、第一の形状とは別形状の第二の形状を有する同一のコネクタであり、
前記第５の光ケーブルの有する、前記光信号多重分離回路パッケージの伝送路への出力部に接続されるコネクタと、伝送路へと接続されるコネクタとが、第一の形状とは別形状の第二の形状を有する同一のコネクタである
ことを特徴とする伝送装置破壊防止構造。
【発明の詳細な説明】
【技術分野】
【０００１】
本発明は、伝送装置の破壊防止構造に関する。
【背景技術】
【０００２】
従来の光通信用伝送装置は、電源及びオペレーションシステムとのインタフェースを有する筺体に、光送受信、光多重分離等の機能ブロック毎に光送受信モジュール、光部品及びそれらを駆動・制御する電気回路が実装された複数のパッケージが挿入されることにより構成される。これら複数のパッケージ内及びパッケージ間の光信号の伝達は、通常、各光送受信モジュールおよび各光部品の入出力コネクタを光ファイバケーブルにより接続することにより実現される。近年、光通信技術の高度化により、非常に大規模な伝送装置の実現が可能となり、接続する光送受信モジュール、光部品、パッケージの数が多くなっている。接続すべき光ケーブルとコネクタの数もそれに従って増大し、これらの増大に伴い、光ケーブル誤接続の可能性も高まることになる。
【０００３】
光ケーブルの誤接続は、サービス開始前の保守運用者による伝送装置設置工事、ネットワークオペレータの業務計画に基づく収容パス・インタフェース・パッケージ等の変更、装置故障によるモジュール、光部品、パッケージ交換の際に起こりうる。光ケーブルの誤接続が生じると、正常な伝送が行えなくなる。また、光部品の中には、光増幅器のように非常に高パワーの光信号を出力するものがあるが、光増幅器出力コネクタに接続された光ケーブルが誤って光送受信モジュールの受信用コネクタに接続された場合、モジュールの最大入力パワー規定を超えた高パワーの光信号が入力し、モジュールが破壊される可能性がある。
【０００４】
図５は、従来の光通信用伝送装置の構成図である。図５に示すように、従来の光通信用伝送装置は、トランスポンダパッケージ１１、光送受信モジュール１２、光信号多重分離回路パッケージ１３、光ケーブル１４−１，１４−２，１４−３，１４−４、コネクタ１４−１ａ，１４−１ｂ，１４−２ａ，１４−２ｂ，１４−３ａ，１４−３ｂ，１４−４ａ，１４−４ｂを有している。なお、図５においては、パッケージ間の接続状態を説明するために、筐体に挿入された状態ではなく、並列に表示している。
【０００５】
図６は、高い信号対雑音比を得るために、トランスポンダパッケージ１１に光増幅器１５を装備した従来の光通信用伝送装置の構成図である。図６に示すように、光増幅器１５を装備した従来の光通信用伝送装置は、光ケーブル１４−２を用いて、コネクタ１４−２ａとコネクタ１４−２ｂを介して光送受信モジュール１２と光増幅器１５を、光ケーブル１４−５を用いて、コネクタ１４−５ａとコネクタ１４−５ｂを介して光増幅器１５と光信号多重分離回路パッケージ１３を接続している。
【０００６】
本構成では、高い信号対雑音比を得るため光増幅器１５により光信号の送信パワーを高出力化しているが、光送受信モジュール１２の入力部の前段に光増幅器１５を配置し、光信号の受信パワーを高出力化することもできる。また、伝送路設計によっては、光増幅器１５を光信号多重分離回路パッケージ１３に装備する構成も考えられるが、信号フォーマットや伝送速度が異なる複数種類のトランスポンダパッケージを多重分離する場合には、本構成を選択することが多くなる。
【０００７】
図５に示した従来の光通信用伝送装置では、光ケーブル１４−１と光ケーブル１４−２を適切に接続しないと正常な伝送が行えなくなる。また、光送受信モジュール１２の入出力が誤って直結されると、非常に高パワーの光信号がモジュール内フォトディテクタに入力され、モジュールが破壊される可能性がある。
【０００８】
図６に示した光増幅器１５を装備した従来の光通信用伝送装置では、光ケーブル１４−１，１４−２，１４−５を適切に接続しないと正常な伝送が行えなくなる。また、光送受信モジュール１２の入出力が直結されると、モジュールが破壊される可能性があるのはもちろんであるが、光ケーブル１４−５の接続を誤り、コネクタ１４−５ｂを光送受信モジュール１２の入力段に接続した場合、非常に高パワーの光信号が光送受信モジュール１２内フォトディテクタに入力され、モジュールが破壊される可能性がある。また、光ケーブル１４−２の接続を誤り、コネクタ１４−２ａを光送受信モジュール１２の入力段に接続した場合、光増幅器１３に励起光遮断用のアイソレータが装備されていないと、光信号と逆方向に伝搬する自然放出光が光送受信モジュール１２内フォトディテクタに入力され、同様にモジュール破壊を引き起こす恐れがある。特に、光ケーブル１４−２は、同一パッケージ内の光接続用に用いるため、余長処理が煩雑化して誤接続を招きやすい。
【０００９】
このような誤接続を防止するため、下記特許文献１に従来の技術として記載されているように、光ケーブルを色分けする、あるいはナンバリングする等の手段が考えられるが、それでも誤接続を１００％防止することは難しい。一方、コネクタを接続箇所に応じて別形状として誤接続を防ぐことも考えられるが、全てのコネクタを別形状にするのは、市販コネクタの種類やそれぞれの入手性が市場シェアに応じて異なることを考慮すると現実的ではない。
【００１０】
こうした背景を踏まえ、有極性の信号と極性検出回路を用いる方法（下記特許文献１参照）、機能の異なる複数種類の光接続ユニットを１つの収納部材に収納する方法（下記特許文献２参照）等が提案されているが、いずれも装置構成が複雑化する、装置規模が大きくなるに従って管理が非常に複雑になるといった課題が生じる。
【００１１】
このように、大規模伝送装置、特に、収容するパッケージが多くなりがちなアクセス・メトロ系の伝送装置においては、簡易かつ安全な伝送装置設置工事、パッケージ等の変更・交換を実現する上で大きな障壁となっていた。
【００１２】
【特許文献１】特開平６−８５７９６号公報
【特許文献２】特開２００１−２２１９６４号公報
【発明の開示】
【発明が解決しようとする課題】
【００１３】
以上説明したように、光ケーブルの誤接続による伝送装置破壊を防止して、簡易かつ安全な装置保守運用を可能とする破壊防止構造はこれまで検討されていなかった。本発明は、このような問題を解決するために、最小限の種類のコネクタ形状を有する光ケーブルを用いてパッケージ間、光部品間の接続を行うことにより、少なくとも光送受信モジュール破壊につながる誤接続を防止する伝送装置破壊防止構造を提供することを目的とする。
【課題を解決するための手段】
【００１４】
上記の課題を解決するための第１の発明（請求項１に対応）に係る伝送装置破壊防止構造は、伝送装置がトランスポンダパッケージと、光送受信モジュールと、光信号多重分離回路パッケージをと有する場合、光送受信モジュール入力部と、光送受信モジュールの入力部と接続されるパッケージあるいは光部品側のコネクタとを第一の形状を有する同一のコネクタとする。さらに、光送受信モジュールの出力部と、光送受信モジュールの出力部と接続されるパッケージあるいは光部品側のコネクタを第一の形状とは別形状の第二の形状を有する同一のコネクタとする。また、伝送路からの出力部と光信号多重分離回路パッケージの入力部とを接続するコネクタ、及び、光信号多重分離回路パッケージ出力部と伝送路への入力部を接続するコネクタを、第一の形状とは別形状の第二の形状を有する同一のコネクタとする。
【００１５】
これにより、コネクタの誤接続により光送受信モジュールの入出力部が直結されることによるモジュール破壊を防止する。
【００１６】
上記の課題を解決するための第２の発明（請求項２に対応）に係る伝送装置破壊防止構造は、伝送装置がトランスポンダパッケージと、光送受信モジュールと、光信号多重分離回路パッケージとを有し、光送受信モジュールの入出力部におけるコネクタが同一の第一の形状を有する場合は、光送受信モジュールの入力部と接続されるパッケージあるいは光部品側のコネクタ、および、光送受信モジュールの出力部と接続されるパッケージあるいは光部品側のコネクタを、光送受信モジュールの入出力部に接続されるコネクタとは別形状の第二の形状を有するコネクタにする。また、伝送路からの出力部と光信号多重分離回路パッケージの入力部とを接続するコネクタ、及び、光信号多重分離回路パッケージ出力部と伝送路への入力部を接続するコネクタを、第一の形状とは別形状の第二の形状を有する同一のコネクタとする。
【００１７】
これにより、接続される光ケーブルの両端のコネクタ形状が異なるため、光送受信モジュールの入出力部が直結されることによるモジュール破壊を防止する。
【００１８】
上記の課題を解決するための第３の発明（請求項３に対応）に係る伝送装置破壊防止構造は、伝送装置がトランスポンダパッケージと、光送受信モジュールと、光増幅器と、光信号多重分離回路パッケージとを有する場合、光送受信モジュール入力部に接続されるコネクタと、光送受信モジュールの入力部と接続されるパッケージあるいは光部品側のコネクタとを第一の形状を有する同一形状のコネクタとし、かつその他コネクタとは第二の形状を有する別形状とする。また、伝送路からの出力部と光信号多重分離回路パッケージの入力部とを接続するコネクタ、及び、光信号多重分離回路パッケージ出力部と伝送路への入力部を接続するコネクタを、第一の形状とは別形状の第二の形状を有する同一のコネクタとする。
【００１９】
これにより、コネクタの誤接続により光送受信モジュールの入出力部が直結されること、及び、光増幅器の出力部ないしは入力部と光送受信モジュールの入力部が直結されることによるモジュール破壊を防止する。
【００２０】
上記の課題を解決するための第４の発明（請求項４に対応）に係る伝送装置破壊防止構造は、伝送装置がトランスポンダパッケージと、光送受信モジュールと、光信号と逆方向に伝搬する自然放出光を遮断する手段を具備した光増幅器と、光信号多重分離回路パッケージとを有し、光送受信モジュールの入出力部におけるコネクタが同一の第一の形状を有する場合は、光送受信モジュールの入力部と接続されるパッケージあるいは光部品側のコネクタを第二の形状を有するコネクタとし、光信号と逆方向に伝搬する自然放出光を遮断する手段を具備した光増幅器の入力部に接続されるコネクタを第二の形状を有するコネクタとし、出力部に接続されるコネクタを第一の形状を有するコネクタとし、光信号と逆方向に伝搬する自然放出光を遮断する手段を具備した光増幅器の出力部と接続されるパッケージあるいは光部品側のコネクタを第二の形状を有するコネクタとする。また、伝送路からの出力部と光信号多重分離回路パッケージの入力部とを接続するコネクタ、及び、光信号多重分離回路パッケージ出力部と伝送路への入力部を接続するコネクタを、第一の形状とは別形状の第二の形状を有する同一のコネクタとする。
【００２１】
これにより、コネクタの誤接続により光送受信モジュールの入出力部が直結されること、及び、光増幅器の出力部と光送受信モジュールの入力部が直結されることによるモジュール破壊を防止する。
【００２２】
以上のように、光送受信モジュール破壊の可能性のある光ケーブルのコネクタを別形状を有する２種類のコネクタのいずれかとすることにより、誤接続を物理的に防止し、簡易かつ安全な装置保守運用が可能となる。
【発明の効果】
【００２３】
本発明によれば、光送受信モジュール破壊の可能性のある光ケーブルのコネクタを、別形状を有する２種類のコネクタのいずれかとすることにより、誤接続を物理的に防止し、簡易かつ安全な装置保守運用が可能となる。
【発明を実施するための最良の形態】
【００２４】
以下、本発明に係る伝送装置破壊防止構造の実施例について、図１から図４を用いて説明する。図１は本発明の実施例１に係る伝送装置破壊防止構造の構成図、図２は本発明の実施例２に係る伝送装置破壊防止構造の構成図、図３は本発明の実施例３に係る伝送装置破壊防止構造の構成図、図４は本発明の実施例４に係る伝送装置破壊防止構造の構成図である。
【実施例１】
【００２５】
図１は、本発明の第１の発明に対応する実施例１に係る伝送装置破壊防止構造の構成図である。図１に示すように、本実施例に係る伝送装置破壊防止構造は、トランスポンダパッケージ１、光送受信モジュール２、光信号多重分離回路パッケージ３、光ケーブル４−１，４−２，４−３，４−４、第一の形状を有するコネクタ４−１ａ，４−１ｂ、第二の形状を有するコネクタ４−２ａ，４−２ｂ，４−３ａ，４−３ｂ，４−４ａ，４−４ｂを有している。第一の形状を有するコネクタ４−１ａ，４−１ｂと第二の形状を有するコネクタ４−２ａ，４−２ｂ，４−３ａ，４−３ｂ，４−４ａ，４−４ｂとは別形状のコネクタである。
【００２６】
本実施例では、第一の形状を有するコネクタ４−１ａ，４−１ｂは、第二の形状を有するコネクタ４−２ａ，４−２ｂ，４−３ａ，４−３ｂ，４−４ａ，４−４ｂのいずれとも別形状のため、誤ったコネクタ、特に高パワーの光信号が出力されるコネクタ４−２ｂが光送受信モジュール２の入力部に接続されることがなく、光送受信モジュールの入出力部が直結されることによるモジュール破壊を防止できる。
【００２７】
さらに、光ケーブル４−１は両端に第一の形状を有するコネクタ４−１ａ，４−１ｂを有し、光ケーブル４−２は両端にコネクタ第二の形状を有するコネクタ４−２ａ，４−２ｂを有しており、両端のコネクタ形状の組み合わせが異なるため、トランスポンダパッケージ１の前面において、光ケーブル４−１と光ケーブル４−２を取り違えて誤接続されることも防止できる。
【実施例２】
【００２８】
図２は、本発明の第２の発明に対応する実施例２に係る伝送装置破壊防止構造の構成図である。本実施例と図１に示す実施例１との相違点は、光送受信モジュール２の出力部に第一の形状を有するコネクタ４−２ｃが接続され、第一の形状を有するコネクタ４−１ａと同一形状であると共に、光送受信モジュール２の入力部と接続される光信号多重分離回路３側に第二の形状を有するコネクタ４−１ｃが接続され、第二の形状を有するコネクタ４−２ｂと同一形状である点である。
【００２９】
本実施例では、光ケーブル４−１は両端にコネクタ第一の形状を有するコネクタ４−１ａ、第二の形状を有するコネクタ４−１ｂと形状の異なるコネクタを有し、光ケーブル４−２は両端にコネクタ第一の形状を有するコネクタ４−２ｃ、第二の形状を有するコネクタ４−２ｂと形状の異なるコネクタを有しているため、光送受信モジュール２の入力部及び出力部に同一形状のコネクタが接続可能であったとしても、これらが直結されることはなく、モジュール破壊を防止できる。
【００３０】
市販の光送受信モジュールでは、入出力部に接続されるコネクタは同一形状であることが多いが、そのような光送受信モジュールを用いた場合でも、本構成によりモジュール破壊の防止が可能である。
【００３１】
本構成では、光ケーブル４−１と光ケーブル４−２は別用品であるが、第一の形状を有するコネクタ４−１ａとコネクタ４−２ｃが２連となった、ペアケーブルを用いても良い。
【実施例３】
【００３２】
図３は、本発明の第３の発明に対応する実施例３に係る伝送装置破壊防止構造の構成図である。本実施例と図１に示す実施例１との相違点は、トランスポンダパッケージ１に光増幅器５が配置され、両端に第二の形状を有するコネクタ４−５ａ，４−５ｂを有する光ケーブル４−５により光送受信モジュール２と、両端にコネクタ第二の形状を有するコネクタ４−２ａ，４−２ｂを有する光ケーブル４−２により光信号多重分離回路３と接続されている点である。
【００３３】
本実施例では、両端に第一の形状を有するコネクタと第二の形状を有するコネクタを有する光ケーブルを使用しないため、光送受信モジュール２の入出力部が直結されることによるモジュール破壊を防止できる。
【００３４】
同様に、光増幅器５の入力部と光送受信モジュール２の入力部が接続されることがなく、光信号と逆方向に伝搬する自然放出光が出力されることによる光送受信モジュール２の破壊を防止できる。なお、光ケーブル４−２と光ケーブル４−５は別用品であるが、第二の形状を有するコネクタ４−２ａとコネクタ４−５ｂが２連となった、ペアケーブルを用いても良い。また、本実施例に係る伝送装置破壊防止構造によれば、光増幅器５の出力部と光送受信モジュール２の入力部も接続されることがない。
【実施例４】
【００３５】
図４は、本発明の第４の発明に対応する実施例４に係る伝送装置破壊防止構造の構成図である。本実施例と図２に示す実施例２との相違点は、トランスポンダパッケージ１に光信号と逆方向に伝搬する自然放出光を遮断する手段を具備した光増幅器６が配置され、両端に第一の形状を有するコネクタ４−５ｃ，４−５ｂを有する光ケーブル４−５により光送受信モジュール２と、両端に第一の形状を有するコネクタ４−２ｃ、第二の形状を有するコネクタ４−２ｂを有する光ケーブル４−２により光信号多重分離回路３と接続されている点である。
【００３６】
本実施例では、両端に第一の形状を有するコネクタを有する光ケーブルを使用しないため、光送受信モジュール２の入出力部が直結されることによるモジュール破壊を防止できる。同様に、光信号と逆方向に伝搬する自然放出光を遮断する手段を具備した光増幅器６の出力部と光送受信モジュール２の入力部とが接続されることがなく、高パワーを有する光信号が入力されることによる光送受信モジュール２の破壊を防止できる。また、光ケーブル４−１と光ケーブル４−５は別用品であるが、第一の形状を有するコネクタ４−１ａとコネクタ４−５ｃが２連となった、ペアケーブルを用いても良い。
【００３７】
上述した実施例１〜４では、光ケーブルのコネクタを、別形状を有する２種類のコネクタのいずれかとすることにより、光送受信モジュール破壊の可能性のある光ケーブルの誤接続を防止しているが、３種類以上のコネクタを用いて適切な光ケーブルを実現し、光部品、パッケージ間を接続しても良い。
【００３８】
また、上述した実施例１〜４では、単一波長の場合、即ち、トランスポンダパッケージ、光送受信モジュール、光増幅器をそれぞれ１台ずつ有する伝送装置を考えているが、ＷＤＭ伝送用に、これらをそれぞれＮ台ずつ有する伝送装置の場合でも、同様に光部品間接続及びパッケージ間接続が可能である。
【産業上の利用可能性】
【００３９】
本発明は、例えば、光信号を入出力する光通信用伝送装置内において、光送受信モジュールと各種光部品、特に光増幅器との誤接続に起因する装置破壊を回避するための破壊防止構造に適用することが可能である。
【図面の簡単な説明】
【００４０】
【図１】本発明の第１の発明に対応する実施例１に係る伝送装置破壊防止構造の構成図
【図２】本発明の第２の発明に対応する実施例２に係る伝送装置破壊防止構造の構成図
【図３】本発明の第３の発明に対応する実施例３に係る伝送装置破壊防止構造の構成図
【図４】本発明の第４の発明に対応する実施例４に係る伝送装置破壊防止構造の構成図
【図５】従来の光通信用伝送装置の構成図
【図６】高い信号対雑音比を得るために、トランスポンダパッケージに光増幅器を装備した従来の光通信用伝送装置の構成図
【符号の説明】
【００４１】
１  トランスポンダパッケージ
２  光送受信モジュール
３  光信号多重分離回路パッケージ
４−１，４−２，４−３，４−４，４−５  光ケーブル
４−１ａ，４−１ｂ，４−２ｃ，４−５ｃ  第一の形状を有するコネクタ
４−１ｃ，４−２ａ，４−２ｂ，４−３ａ，４−３ｂ，４−４ａ，４−４ｂ，４−５ａ，４−５ｂ  第二の形状を有するコネクタ
５  光増幅器
６  光信号と逆方向に伝搬する自然放出光を遮断する手段を具備した光増幅器
１１  トランスポンダパッケージ
１２  光送受信モジュール
１３  光信号多重分離回路パッケージ
１４−１，１４−２，１４−３，１４−４  光ケーブル
１４−１ａ，１４−１ｂ，１４−２ａ，１４−２ｂ，１４−３ａ，１４−３ｂ，１４−４ａ，１４−４ｂ，１４−５ａ，１４−５ｂ  コネクタ
１５  光増幅器
【図１】
2008306233.tif 000003
【図２】
2008306233.tif 000004
【図３】
2008306233.tif 000005
【図４】
2008306233.tif 000006
【図５】
2008306233.tif 000007
【図６】
2008306233.tif 000008